(57)【要約】【課題】縁枠部材と花及び背景との組合せによる装飾効果が得られ、しかも光が上方から花に届き易く花の新鮮さが長期間にわたって維持できる花飾り用額縁を提供する。【解決手段】花飾り用額縁は、中央に開口部２３が形成された枠状の縁枠部材１０と、花６０を支持して縁枠部材の開口部に配置する容器６５と、縁枠部材の後面側で開口部の下方に設けられ容器が載置される載置台４５と、花の背後に所定の背景７１、７２を表示するシート状部材７０と、縁枠部材の後面側で開口部の左右外側に設けられシート状部材を保持する左右一対の保持部材３５，３８と、を含む。従って、縁枠部材と花及び背景との組合せにより、向上した装飾効果が得られる。縁枠部材、シート状部材及び左右一対の保持部材で区画される空間５５の上端が開口しているので、光が上方から花に届き易く、花の新鮮さが長期間にわたって維持される。【選択図】図２
0003120878.tif 000002
【実用新案登録請求の範囲】
【請求項１】
中央に開口部が形成された枠状の縁枠部材と、
花を支持して前記縁枠部材の開口部に配置する容器と、
前記縁枠部材の後面側で前記開口部の下方に設けられ、前記容器が載置される載置台と、
前記花の背後に所定の背景を表示するシート状部材と、
前記縁枠部材の後面側で前記開口部の左右外側に設けられ、前記シート状部材を保持する左右一対の保持部材と、から成り、
前記縁枠部材、前記シート状部材及び前記左右一対の保持部材で区画される空間の上端が開口していることを特徴とする花飾り用額縁。
【請求項２】
前記容器は、少なくとも、底部に排水孔が形成され根付き花木を支持する植木鉢、及び、切り花を支持する水器の何れか一方を含むことを特徴とする請求項１に記載の花飾り用額縁。
【請求項３】
前記容器は、
前記植木鉢及び前記水器の少なくとも一方から成る複数の小容器と、
底部に排水孔が形成され、前記複数の小容器を収容し、前記載置部に載置される大容器と、
を含むことを特徴とする請求項２に記載の花飾り用額縁。
【請求項４】
前記載置台は、
前記縁枠部材の開口部の下方に位置する部分の後面に固定され、水平方向に延びた水平部と、
前記左右一対の保持部材に固定され、前記水平部の後端から垂直方向に延びた垂直部と、
を含むことを特徴とする請求項１から請求項３の何れかに記載の花飾り用額縁。
【請求項５】
前記載置台には、該載置台上に集まる水を排水する排水孔が形成されていることを特徴とする請求項４に記載の花飾り用額縁。
【請求項６】
前記載置台の下面には、前記載置台の前記排水孔から排水される水を受ける水受け部材が着脱可能に取り付けられていることを特徴とする請求項５に記載の花飾り用額縁。
【請求項７】
前記シート部材は所定の背景が描かれた薄板であることを特徴とする請求項１から請求項６の何れかに記載の花飾り用額縁。
【請求項８】
前記シート部材は、薄板と、該薄板に取り付けられ所定の背景を構成する背景部品とを含むことを特徴とする請求項１から請求項６の何れかに記載の花飾り用額縁。
【請求項９】
前記左右一対の保持部材は、互いに対向する対向面に、前記シート状部材の両側部がそれぞれ差し込まれる左側溝及び右側溝が形成されていることを特徴とする請求項７又は請求項８に記載の花飾り用額縁。
【請求項１０】
前記縁枠部材の前面は、彫刻、彩色又は装飾部品の取付けにより装飾が施されていることを特徴とする請求項１から請求項９の何れかに記載の花飾り用額縁。
【請求項１１】
前記縁枠部材、前記容器、前記載置台、前記シート状部材及び前記左右一対の保持部材から成る額縁本体が取り付けられる三脚を含むことを特徴とする請求項１から請求項１０の何れかに記載の花飾り用額縁。
【考案の詳細な説明】
【技術分野】
【０００１】
本考案は、枠状の縁枠部材の開口部に花を配置でき、花の背後に背景を表示できる花飾り用額縁に関する。
【背景技術】
【０００２】
従来より、枠状の縁枠部材の開口部に根付き花木や切り花などの花を配置できる花飾り用額縁が知られている。たとえば、従来の花用額縁は、上縁部、下縁部、左縁部及び右縁部を含む四角枠状の縁枠部材の開口部に切り花を配置するために、縁枠部材の下縁部には、切り花を支持する水器（花瓶）を載置する載置棚が形成されている（特許文献１及び特許文献２参照）。これにより、花を単独で設置した場合に比べて、装飾効果が向上する。
【０００３】
また、より装飾効果を向上するために、切り花の背後に背景を表示することも知られている。たとえば、従来の花用額縁では、切り花の背後に背景を表示するために、上記載置棚が形成された枠状部材に高さ方向の案内部を形成し、風景が描かれた板部材をこの案内部に挿入している（特許文献２参照）。
【特許文献１】実開平７−９１７１号公報
【特許文献２】特開平９−２３８８０１号公報
【考案の開示】
【考案が解決しようとする課題】
【０００４】
しかし、上記従来の花用額縁は何れも、切り花に光（日光又は室内光）が十分に当たるとは言い難い。その理由は、縁枠部材の後面側に切り花を収容するために形成された収容空間の上端が、縁枠部材の上縁部などから後方に突出した突出部分で閉じられているからである。これでは、花用額縁に上方から照射される光が上記突出部分で遮られ、切り花の葉などに十分に届きにくい。その結果、葉などで光合成が十分に行われず、切り花の新鮮さが短期間で失われ易い。
【０００５】
本考案は上記課題に鑑みてなされたもので、縁枠部材と花及び背景との組合せによる装飾効果が得られ、しかも光が上方から花に届き易く、花の新鮮さを長期間にわたって維持できる花飾り用額縁を提供することを目的とする。
【課題を解決するための手段】
【０００６】
上記目的を達成するために、本考案の花飾り用額縁は、請求項１に記載したように、
中央に開口部が形成された枠状の縁枠部材と、花を支持して縁枠部材の開口部に配置する容器と、縁枠部材の後面側で開口部の下方に設けられ容器が載置される載置台と、
花の背後に所定の背景を表示するシート状部材と、縁枠部材の後面側で開口部の左右外側に設けられシート状部材を保持する左右一対の保持部材と、を含む。そして、縁枠部材、シート状部材及び左右一対の保持部材で区画される空間の上端が開口している。
【０００７】
本考案の花飾り用額縁によれば、縁枠部材と、容器により支持された花及び花の背後に表示された背景とが調和して装飾効果が向上する。また、載置台に載置される容器及び左右一対の保持部に保持されるシート状部材は交換可能なので、花の組合せを変えたり、花の種類に応じて背景を選択することができ、それによって装飾効果が一層向上する。
【０００８】
更に、縁枠部材、シート状部材及び左右一対の保持部材で区画される空間の上端が開口していることにより、以下の効果が得られる。花飾り用額縁の上方から照射される光（日光や室内光）が花に届きやすく、花（特に根付き花木）の葉などでの光合成が盛んになり、花の新鮮さが長期間にわたって維持できるとともに、花（根付き花木及び生け花）が鮮やかに見える。また、たとえば花飾り用額縁を前面を外向きにしてベランダに設置したような場合は、縁枠部材の開口から水をやることは困難であるが、空間の開口した上端から花に水をやることができる。さらに、シート状部材の背景が立体的でシート状部材の厚さが厚い場合でも、空間の開口した上端から容易にシート状部材を着脱できる。
【０００９】
請求項２の花飾り用額縁では、容器は、少なくとも、底部に排水孔が形成され根付き花木を支持する植木鉢、及び、切り花を支持する水器の何れか一方を含む。請求項２の花飾り用額縁によれば、植木鉢で根付き花木を支持することができ、水器で切り花を支持することができる。その際、根付き花木を支持する植木鉢の個数と、切り花を支持する水器の個数とを適宜選択することができる。これにより、季節や花飾り用額縁を設置する場所の雰囲気に応じて、開口部に根付き花木のみを配置することも、切り花のみを配置することも、両方を配置することもでき、花の種類、組み合わせを多様に変更できる。
【００１０】
請求項３の花飾り用額縁では、容器は、植木鉢及び水器の少なくとも一方から成る複数の小容器と、底部に排水孔が形成され複数の小容器を収容し載置部に載置される大容器と、を含む。請求項３の花飾り用額縁によれば、花飾り用額縁から離れた場所で、予め複数の小容器を大容器に収容し、複数の小容器が収容された大容器を載置台に載置することができ、これによって複数の小容器の載置台への載置作業が簡単になる。また、複数の小容器は、その底部に排水孔が形成された大容器内に収容されているので、植木鉢から排水された水や、小容器への注水時にこぼれた水は大容器内に収容される。これにより、小容器を直接載置台に載置した場合に比べて載置台に水がかかり難くなり、載置台や縁枠部材が木製の場合でも、水による載置台などの腐りが防止でき、耐久性が向上する。
【００１１】
請求項４の花飾り用額縁では、載置台は、縁枠部材の前記開口部の下方に位置する部分の後面に固定され水平方向に延びた水平部と、左右一対の保持部材に固定され水平部の後端から垂直方向に延びた垂直部と、を含む。請求項４の花飾り用額縁によれば、載置台の水平部の左右側方には一対の保持部材が位置し、後方には垂直部が位置している。従って、花飾り用額縁が移動時などに傾いたり振動しても、容器は一対の保持部材又は垂直部に当接し、水平部から転落することが防止できる。
【００１２】
請求項５の花飾り用額縁では、載置台には、載置台上に集まる水を排水する排水孔が形成されている。請求項５の花飾り用額縁によれば、例えば容器への注水量が多すぎたような場合でも、載置台の上面に集まった水は排水孔から下方に落下し、載置部の上面に溜まらない。従って、載置台や縁枠部材が木製の場合でも、水による載置台などの腐りが防止でき、耐久性が向上する。
【００１３】
請求項６の花飾り用額縁では、載置台の下面には、載置台の排水孔から排水される水を受ける水受け部材が着脱可能に取り付けられている。請求項６の花飾り用額縁によれば、載置台の下面に取り付けられた水受け部材が、載置台の排水孔から排水される水を収容する。従って、たとえば花飾り用額縁を室内に配置した場合でも、落下した水で床が汚れる心配はない。また、水受け部材は載置台に対して着脱可能であるので、受けた水の量が多くなった場合は載置台から取り外し、収容した水の排水後、再度載置台に取り付けることができ、これによって水の床への落下を永続的に防止できる。
【００１４】
請求項７の花飾り用額縁では、シート部材は所定の背景が描かれた薄板である。請求項７の花飾り用額縁によれば、シート状部材に風景や人物などの背景を描くことにより、額縁に入った絵画とその前に配置した花との組合せと同様の装飾効果を得ることができる。
【００１５】
請求項８の花飾り用額縁では、シート部材は、薄板と、薄板に取り付けられ所定の背景を構成する背景部品とを含む。請求項８の花飾り用額縁によれば、シート状部材に立体的な背景部品や、絵の具では描けない背景部品を取り付けることにより、より多様な背景を表示することができる。
【００１６】
請求項９の花飾り用額縁では、左右一対の保持部材は、互いに対向する対向面に、シート状部材の両側部がそれぞれ差し込まれる左側溝及び右側溝が形成されている。請求項９の花飾り用額縁によれば、左右一対の保持部材に左側溝及び右側溝がそれぞれ形成されているので、シート状部材を左右一対の保持部材に対して容易に差し込み及び抜き出しでき、その交換が容易になる。
【００１７】
請求項１０の花飾り用額縁では、縁枠部材の前面は、彫刻、彩色又は装飾部品の取付けにより装飾が施されている。請求項１０の花飾り用額縁によれば、縁枠部材の前面に彫刻や彩色を施すことにより、花による装飾効果に加えて、彫刻や彩色による花とは異質の装飾効果を付加することができる。また、縁枠部材に装飾部品を取付けることにより、花による装飾効果に加えて、装飾部品による立体的な装飾効果を付加することができる。
【００１８】
請求項１１の花飾り用額縁では、 縁枠部材、容器、載置台、シート状部材及び左右一対の保持部材から成る額縁本体が取り付けられる三脚を含む。請求項１１の花飾り用額縁によれば、三脚を移動させることにより、額縁本体を室内でも屋外でも所定場所に簡単に設置することができる。
【考案を実施するための最良の形態】
【００１９】
以下、本考案の実施形態について図面を参照しつつ説明する。
（実施形態）
図１から図６に実施形態の花飾り用額縁を示す。図１は花飾り用額縁の設置状態を示す斜視図、図２は花飾り用額縁の正面図、図３は縁枠部材及び薄板を示す（植木鉢は不図示）分解斜視図、図４（ａ）及び（ｂ）はそれぞれ花飾り用額縁の正面図及び背面図、図５（ａ）及び（ｂ）はそれぞれ花飾り用額縁の平面図及び側面図、図６は花飾り用額縁の載置部材に載置された植木鉢を示す斜視図（根付き花木は不図示）である。なお、以下の説明において、「左側」及び「右側」とは、それぞれ花飾り用額縁を前面側から見たときの左側及び右側を意味する。
【００２０】
図１から図３に示すように、花飾り用額縁８０は木製の縁枠部材１０、木製の載置部材４５、容器６５及び木製の保持部材３５、３８などから成る。このうち縁枠部材１０は、図２から図５に示すように、上縁部１１、下縁部１４、左縁部１７及び右縁部２１を含み、四角枠形状を持つ。上縁部１１、下縁部１４、左縁部１７及び右縁部２１は何れも等脚台形状の板材から成り、上縁部１１と下縁部１４とは上下対称な形状を持ち、左縁部１７と右縁部２１とは左右対称な形状を持つ。図３及び図４（ａ）において、上縁部１１の左方端部１２ａの斜面と左縁部１７の上方端部１８ａの斜面とが当接しており、釘（不図示）により左方端部１２ａが上方端部１８ａに結合されている。また、上縁部１１の右方端部１２ｂの斜面と右縁部２１の上方端部２２ａの斜面とが当接しており、釘（不図示）などにより右方端部１２ｂが上方端部２２ａに結合されている。
【００２１】
なお、下縁部１４の左端部１５ａと左縁部１７の下端部１８ｂとは上記上縁部１１の左端部１２ａと左縁部１７の上端部１８ａと同様に結合され、下縁部１４の右端部１５ｂと右縁部２１の下端部２２ｂとは上記上縁部１１の右端部１２ｂと右縁部２１の上端部２２ａと同様に結合されている。上縁部１１、下縁部１４、左縁部１７及び右縁部２１から成る縁枠部材１０は縦方向（上下方向）寸法よりも横方向（左右方向）寸法の方が長く、中央部に横方向に長い矩形状の開口部２３が形成されている。
【００２２】
図４（ｂ）及び図５（ｂ）に示すように、左縁部１７の後面１８ｃ及び右縁部２１の後面２２ｃに、左側取付部材２７及び右側取付部材３１が釘（不図示）によりそれぞれ固定されている。左側取付部材２７の幅は左縁部１７の幅よりも狭く、高さは左縁部１７の高さとほぼ等しい。右側取付部材３１は左側取付部材２７と左右対称な形状を持つ。
【００２３】
また、左縁部１７の後面１８ｃに左側取付部材２７を介して左側保持部材３５が固定されている。左側保持部材３５は、所定の幅（図５（ａ）で上下方向寸法）を持ち、左縁部１７の後面１８ｃから後方（図５（ａ）で上方向）に突出し、左縁部１７の高さ方向（図４（ｂ）で上下方向）のほぼ全体にわたって延びている。左側保持部材３５は、その内面３６ａの前端寄り部分から左側取付部材２７の内側面に挿入された釘（不図示）により、左側取付部材２７に固定されている。左側保持部材３５の内側面３６ａの後端寄り部分には左側溝３６ｂが全高さにわたって形成されている。
【００２４】
なお、右側保持部材３８は左側保持部材３５と左右対称な形状を持ち、右側取付部材３１に固定され、内側面３９ａの後端寄り部分には右側溝３９ｂが全高さにわたって形成されている。
【００２５】
図４（ｂ）、図５（ａ）及び（ｂ）に示すように、下縁部１４の後面には、左側保持部材３５の内面３６ａと右側保持部材３８の内側面３９ａとの間に、載置部材（実用新案登録請求の範囲の「載置台」及び「水平部」に相当する）４５が配置されている。載置部材４５の長さ（図５（ａ）で左右方向寸法）は左側保持部材３５と右側保持部材３８との間隔とほぼ等しく、載置部材４５の幅（図５（ａ）で上下方向寸法）は左側保持部材３５及び右側保持部材３８の幅とほぼ等しい。載置部材４５の左端４６ａ及び右端４６ｂが、釘（不図示）によりそれぞれ左側保持部材３５の内面３６ａの下端及び右側保持部材３８の内面３９ａの下端に固定されている。載置部材４５には、その厚さ方向に貫通する複数の排水孔４７が長さ方向に離れて形成されている。
【００２６】
図４（ｂ）に示すように、左側保持部材３５の後面３６ｄの下端寄り部分と右側保持部材３８の後面３９ｄの下端寄り部分との間に下方連結部材（実用新案登録請求の範囲の「垂直部」に相当する）５１が左右方向に渡され、その左端５２ａ及び右端５２ｂが釘（不図示）などにより左側保持部材３５の下端及び右側保持部材３８の下端にそれぞれ固定されている。また、左側保持部材３５の後面３６ｄの上端寄り部分と右側保持部材３８の後面３９ｄの上端寄り部分との間に上方連結部材５３が左右方向に渡され、その左端５４ａ及び右端５４ｂが釘（不図示）により左側保持部材３５の上端及び右側保持部材３８の上端にそれぞれ固定されている。上方連結部材５３には取付け用ひも８２（図１参照）を挿通するための挿通孔５６が形成されている。
【００２７】
なお、額縁部材１０、載置部材４５、保持部材３５，３８、及び連結部材５１，５３など、花飾り用額縁８０を構成する木製の部材にはすべて、防腐性、防虫性及び防かび性を持つ木材用塗料が塗布されている。
【００２８】
図２及び図６に示すように、載置部材４５には複数（ここでは５個）の植木鉢（実用新案登録請求の範囲「容器」に相当する）６５が、載置部材４５の長手方向に並んで載置されている。複数の植木鉢６５は同じ形状でも、異なる形状でも良い。各植木鉢６５は底壁部と周壁部とを持ち上方に開口し、底部に排水孔６６を備え、内部空間に土６７が充填されている。各植木鉢６５には、異なる種類の根付き花木（以下、実施形態では「花木」と呼ぶ）６０（図２参照）の根が植えられ、茎及び葉が収容空間５５内を上方に延び、花及び葉が縁枠部材１０の開口部２３に配置されている。
【００２９】
なお、上記５個の植木鉢６５の他にも、これらと同じ種類又は異なる種類の花木が植えられた複数の植木鉢（不図示）が用意されている。従って、必要に応じて、現在載置部材４５上に載置されている植木鉢６５の一部又は全部を、他の植木鉢と交換することができる。
【００３０】
図３に、花木６０の背景を表示する木製の薄板（実用新案登録請求の範囲の「シート状部材」に相当する）７０が示されている。この薄板７０は横方向に長い矩形状を持ち、その縦寸法は左側保持部材３５及び右側保持部材３８の高さと等しく、その横寸法は左側保持部材３５の左側溝３６ｂと右側保持部材３８の右側溝３９ｂとの間隔と等しい。従って、薄板７０の左側部７３ｂ及び右側部７３ｂを左側保持部材３５の左側溝３６ｂ及び右側保持部材３８の右側溝３９ｂにそれぞれ差し込むことができる。薄板７０の前面（表面）の上方寄り部分には、自然の風景として青い空７１と白い雲７２とが絵の具（油性絵の具、クレヨン、ペンキ、マジックなど、水がかかっても落ちにくい材料）により描かれている。
【００３１】
なお、上記のように木製の薄板７０に絵の具で風景を描く代わりに、木、ブリキ、布などの素材に、トール用アクリルペイントで、トールペインティングの技法により、風景を描いても良い。
【００３２】
図３及び図５（ａ）から明らかなように、縁枠部材１０の上縁部１１及び下縁部１４と、左側保持部材３５及び右側保持部材３８と、薄板７０とで、所定の幅、長さ及び深さを持つ立方体形状の収容空間５５が区画されている。この収容空間５５の下端は載置部材４５で閉じられているが、上端は開口している。
【００３３】
なお、上記青い空７１と白い雲７２とが描かれた薄板７０以外にも、例えば海や人物などが描かれた薄板（不図示）が準備されている。この海や人物などが描かれた薄板も上記薄板７０と同じ寸法を持つので、上記薄板７０の代わりに、上記左側溝３６ｂ及び右側溝３９ｂに差し込むことができる。
【００３４】
図１に示すように、花飾り用額縁８０は、その載置部材４５及び下方連結部材５１を三脚８５の第１脚８６ａ及び第２脚８６ｂに取り付けた支持部材８４上に載せ、その上方連結部材５３の貫通孔５６に挿通したひも８２を第１脚８６ａ及び第２脚８６ｂに縛り付けることにより、三脚８５に取り付けられている。三脚８５は所望の場所に移動可能であり、屋内に設置することも、屋外に設置することもできる。
【００３５】
なお、従来の花飾り用額縁は屋内に設置されることが多かったが、実施形態の花飾り用額縁８０は、額縁部材１０、載置部材４５、保持部材３５，３８、及び連結部材５１，５３など、花飾り用額縁８０を構成する木製の部材に防腐効果などを持つ木材用塗料を塗布しているので、耐久性が向上しており、屋外での配置にも適している。たとえば、ガーデニングを楽しんでいる個人の自宅の庭に設置したり、喫茶店や美容室などの店舗の店頭に設置してお客の入店を促すことができる。
【００３６】
次に、花飾り用額縁８０の載置部材４５への花木６０の配置、及び保持部材３５，３８への薄板７０の取付けについて簡単に説明する。図３及び図５（ａ）において、花飾り用額縁８０の収容空間５５の開口した上端から図６に示す複数の植木鉢６５を収容空間５５内に収容し、載置部材４５の上面に載置する。その後、花木６０の茎を若干前方に湾曲させ、花や葉を縁枠部材１０の開口部２３内に配置する。
【００３７】
つぎに、図３に示す薄板７０の左側部７３ａ及び右側部７３ｂを図３及び図５（ａ）において左側保持部材３５の左側溝３６ｂ及び右側保持部材３８の右側溝３９ｂに差し込む。差し込まれた薄板７０はその下端部が載置部材４５の上面に当接することにより高さ方向で位置決めされる。こうして、開口部２３内に配置された花木６０の花や葉のの背後に、薄板７０により青い空７１及び白い雲７２が表示される。
【００３８】
なお、収容空間５５に複数の植木鉢６５を収容する前に、予め薄板７０の左側部７３ａ及び右側部７３ｂを左側保持部材３５及び左側保持部材３８に差し込んでおくこともできる。
【００３９】
次に、植木鉢６５の交換及び薄板７０の差替えについて説明する。植木鉢６５の交換時は、収容空間５５に開口した上端から手を入れ、植木鉢６５を手で持ち、収容空間５５から上方に取り出す。その後、代わりの植木鉢を上端開口から収容空間５５内に下方に挿入し、載置部材４５上に載置する。また、薄板７０の差替え時は、その上端部を指でつまみ、上方に引き出す。その後、代わりの薄板の左端部及び右端部を左側保持部材３５の左側溝３６ｂ及び右側保持部材３８の右側溝３９ｂにそれぞれ差し込めば良い。
【００４０】
花木６０に水をやるときは、縁枠部材１０の前面側から開口部２３を通して斜め下方に、又は収容空間５５の上端開口から下方に注水する。何れの場合も、注水された水は植木鉢６５内の栽培土６７を潤し、余った水は植木鉢６５の底部に形成された排水孔６６から下方ににじみ出る。上記植木鉢６５の排水孔６６から下方ににじみ出た水、及び花木６０の葉などに邪魔されて植木鉢６５に吸収されなかった水は、載置部材４５の上面に集まり、その後排水孔４７から下方に落下する。
【００４１】
実施形態によれば以下の効果が得られる。第１に、花飾り用額縁８０による花木６０の装飾効果が向上する。詳述すると、花飾り用額縁８０の前面側から見ると、縁枠部材１０が花木６０の花や葉の回りを取り囲んで、花や葉にアクセントを与えている。また、花木６０の花や葉の有彩色と木製の縁枠部材１０の木目模様とが調和している。更に、花木６０の花の赤色や黄色と、その背後の青い空７１及び白い雲７２とがコントラストをなしている。これらの組み合わせにより、向上した装飾効果が得られる。
【００４２】
第２に、花木６０と薄板７０の背景との組合せを簡単に変更することができる。組合せの変更時は、植木鉢６５を交換しても、薄板７０を交換しても、その両方を交換しても良い。しかも、植木鉢６５の交換も薄板７０の交換も容易である。従って、花木６０の花や葉の色彩と調和しやすい風景や人物が描かれた薄板７０を適宜選択することにより、花木６０の花や葉の色彩をより一層引き立たせることができる。
【００４３】
第３に、縁枠部材１０の後方に縁枠部材１０、左側保持部材３５、右側保持部材３８及び薄板７０などで区画形成された収容空間５５の上端を開口したことにより、以下の効果が得られる。まず、花木６０の新鮮さが長期間にわたって維持される。これは、上方から花木６０に照射される日光又は室内光を遮る障害物がないからである。つまり、上方から照射される日光又は室内光は収容空間５５の開口の上端を通して花木６０の葉などに当たって光合成を促進し、その結果花木６０の新鮮さが長期間にわたって維持される。また、日光又は室内光は収容空間５５の開口の上端を通して花木６０の花や葉などに当たるので、花や葉が鮮やかに見える。さらに、たとえば花飾り用額縁８０の前面を外向きにしてベランダに設置したような場合は、縁枠部材１０の開口部２３から花木６０に水をやることは困難であるが、収容空間５５の開口した上端から花木６０に水をやることができる。
【００４４】
第４に、花飾り用額縁８０の耐久性が向上する。詳述すると、縁枠部材１０、載置部材４５、保持部材３５，３８などの木製の部材には、防腐性などを持つ木材用塗料が塗布されている。従って、縁枠部材１０などが腐りにくく、長持ちする。また、長年の使用により縁枠部材１０や載置部材４５などに塗布した木材用塗料の一部がはがれても、縁枠部材１０や載置部材４５などが注水された水や雨水で腐ることが防止できる。即ち、植木鉢６５の排水孔６６から排水された水、注水時に植木鉢６５に吸収されなかった水、及び屋外設置時にかかる雨水は、載置部材４５の上面に集まる。しかし、載置部材４５には排水孔４７が形成されているので、載置部材４５の上面に集まった水はこの排水孔４７を通して下方に落下し、載置部材４５の上面には溜まらない。
【００４５】
第５に、三脚８５を移動させることにより、花飾り用額縁８０は屋内はもとより、自宅の庭や、店舗の店頭などの屋外に簡単に移動できる。
そして、移動の際に花飾り用額縁８０が傾くことがあっても、載置部材４５上の植木鉢６５は側方の保持部材３５，３８又は後方の下方連結部材５１に当接するので、載置部材４５から転落することが防止できる。
（変形例）
本考案の花飾り用額縁は、上記実施形態に限定されず、以下のような変形が可能である。第１変形例として、図３に示したように薄板７０に絵の具で青い空７１と白い雲７２とを描く代わりに、薄板７０の無模様又は模様付きの表面に和紙を貼り付けたり、風景を表示する背景部品を取り付けることができる。和紙を貼り付ければ落ち着いた感じが得られ、背景部品を取り付ければ絵の具では描けない背景を表示でき、また立体感が発生する。なお、このように薄板７０に施した立体的装飾が薄板７０の表面から盛り上がる場合でも、収容空間５５の上端は開口しているので、立体的装飾が施された薄板７０を開口した上端から容易に着脱することができる。
【００４６】
第２変形例として、図２に示したように花木６０を縁枠部材１０の開口部２３に配置するのに加えて、縁枠部材１０の前面に所定模様の装飾を施すことができる。たとえば上縁部１１、左縁部１７又は右縁部２１の前面に彫刻により模様を形成することができる。また、上縁部１１、左縁部１７又は右縁部２１の前面にシールやラベルを貼付したり、第２図に二点鎖線で示すように、左縁部１７及び右縁部２１に造花やドライフラワー９０を取り付けることもできる。さらに、上縁部１１、左縁部１７又は右縁部２１などの前面にイルミネーション用電球を取り付けることもできる。これら縁枠部材１０の前面への追加装飾により、花木６０では得られにくい、追加装飾に特有の装飾効果が付加され、装飾効果が更に向上する。
【００４７】
さらに、第３変形例として、図２などに示すように複数の花木６０を複数の小さな植木鉢６５に植える代わりに、複数の花木６０を、図２に二点鎖線で示すように、一つの大きな植木鉢６７に植えることもできる。このようにすれば、複数の花木６０の植え方が複数の植木鉢６５により制約されないので、花木６０の植え方の自由度が増す効果が得られる。また、複数の植木鉢６５がない分、植木鉢６７の内部空間が大きくなり、この植木鉢６７に植えられる花木６０の本数が増加する効果が得られる。
【００４８】
さらに、第４変形例として、図６に示したように複数の植木鉢６５を直接載置部材４５に載置する代わりに、図７に示すように、生け花（不図示）を支持した複数の花瓶９５を、大容器１００を介して載置部材４５（図３参照）に載置することができる。各花瓶９５は底壁部、周壁部９６及び上壁部９７を持ち、内部空間に水が充満され、上壁部９７には生け花の挿入孔９８が形成されている。花瓶９５の大きさは植木鉢６５の大きさと同じである。なお、水器として、花瓶９５の他にも、オアシス（水を吸った孔付きスポンジ）や剣山を収容する容器を使用することもできる。
【００４９】
大容器１００はたとえば不要となったペットボトルを利用して製作され、底壁部、左右壁部１０２及び前後壁部１０３を持ち、上方に開口している。底部の縦横寸法は載置部材４５の縦横寸法よりも少し小さく選定され、底部には複数の排水孔１０４が形成されている。
【００５０】
複数の花瓶９５の載置時は、まず、大容器１００をその開口を上向きにして収容空間５５内に収容し、その底部を載置部材４５に載置する。次に、それぞれ生け花を支持した複数の花瓶９５を大容器１００内に並べて収容すると、複数の花瓶９５は大容器１００を介して載置部材４５に載置される。
【００５１】
花瓶９５に水を補充するときなどに花瓶９５からこぼれた水は、大容器１００内に収容され、その後底壁部の排水孔１０４及び載置部材４５の排水孔４７を通して下方に落下する。従って、大容器１００に収容される水量の分だけ、左側保持部材３５、右側保持部材３８、下方連結部材５１及び載置部材４５など（図３参照）にかかる水量が減少する。その結果、水による左側保持部材３５、右側保持部材３８、下方連結部材５１及び載置部材４５などの腐りが防止される。
【００５２】
なお、上記載置方法とは別の載置方法として、大容器１００を載置部材４５に載置する前に、予め複数の花瓶９５を大容器１００内に収容しておき、複数の花瓶９５と大容器１００とを一緒に載置部材４５に載置することもできる。このようにすれば、複数の花瓶９５の載置部材４５への載置作業が簡単になる。
【００５３】
また、第５変形例として、図８に示すように、上面に複数の植木鉢６５及び複数の花瓶９５が載置された載置部材４５の下面に、水受け部材１１０を取り付けることができる。この水受け部材１１０は底壁部１１２、左右壁部１１４、前後壁部１１６及び左右取付け部１１８を持ち、上方に開口している。底壁部１１２の縦横寸法は上記載置部材４５の複数の排水孔４７を全て覆うように選定されている。水受け部材１１０は、たとえばその左右取付け部１１８を載置部材４５の下面に形成されたガイド部（不図示）に係止することより、載置部材４５に着脱可能に取り付けられている。
【００５４】
水受け部材１１０を載置部材４５の下面に取り付けたことにより、植木鉢６５の排水孔６６から下方ににじみ出た水や、植木鉢６５及び花瓶９５からこぼれた水は、載置部材４５の排水孔４７から下方に流れた後、水受け部材１１０内に収容される。従って、載置部材４５の排水孔４７から流れ出た水が下方に落下しないので、花飾り用額縁８０を催し会場などの室内に設置した場合でも、その床面が落下した水で汚れる心配がない。
【００５５】
第６変形例として、図３、図４及び図５に示した矩形状の開口部２３を持つ四角枠形状の縁枠部材１０の代わりに、たとえば六角形状の縁枠部材や、円形状の縁枠部材を採用することもできる。六角形状の縁枠部材の開口部は六角形状又は円形状とすることができ、円形状の縁枠部材の開口部は円形状又は矩形状とすることができる。
【図面の簡単な説明】
【００５６】
【図１】本考案の実施形態の花飾り用額縁の設置状態を示す斜視図である。
【図２】上記花飾り用額縁の正面図である。
【図３】上記花飾り用額縁の縁枠部材及び薄板を示す分解斜視図である。
【図４】（ａ）及び（ｂ）はそれぞれ花飾り用額縁の正面図及び背面図である。
【図５】（ａ）及び（ｂ）はそれぞれ花飾り用額縁の平面図及び側面図である。
【図６】上記花飾り用額縁の載置部材に載置された植木鉢を示す斜視図である。
【図７】実施形態の第４変形例を示す平面説明図である。
【図８】実施形態の第５変形例を示す正面説明図である。
【符号の説明】
【００５７】
１０：縁枠部材    １１：上縁部    １４：下縁部    １７：左縁部    ２１：右縁部  ２３：開口部    ３５：右側保持部材    ３６ｂ：左側溝    ３８：右側保持部材    ３９ｂ：右側溝    ４０：保持部材    ４５：載置部材    ４７：排水孔    ５１：下方連結部材    ５３：上方連結部材    ５５：収容空間    ６０：根付き花木    ６５：植木鉢    ７０：薄板    ７１，７２：背景    ８０：花飾り用額縁
８５：三脚    ９５：花瓶    １００：大容器    １１０：水受け部材
【図１】
0003120878.tif 000003
【図２】
0003120878.tif 000004
【図３】
0003120878.tif 000005
【図４】
0003120878.tif 000006
【図５】
0003120878.tif 000007
【図６】
0003120878.tif 000008
【図７】
0003120878.tif 000009
【図８】
0003120878.tif 000010